(57)【特許請求の範囲】
【請求項１】
光源空間の光源から、遮光対象空間へと至る光を遮蔽する遮光体であって、
前記光源空間と前記遮光対象空間との相互間に配置された遮光体本体を備え、
前記遮光体本体は、
前記光源と前記遮光対象空間内の基準点とを結ぶ光源側仮想直線上に位置する光源側遮光部と、
前記光源空間の１個の第一対象物と前記基準点とを結ぶ第一対象物側仮想直線上に位置する対象物側遮光部と、を有し、
前記対象物側遮光部の透光率を、前記光源側遮光部の透光率より高くし、
前記遮光体本体は、所定間隔で並設された複数の羽板を備え、
平面視において、前記光源空間の１個の第二対象物と前記基準点とを結ぶ第二対象物側仮想直線と、前記複数の羽板とが相互に平行となっており、
前記光源側仮想直線上及び前記第一対象物側仮想直線上に前記複数の羽根の内の一部の羽板が位置し、
前記基準点は、前記遮光対象空間内の所定位置に設定されており、
前記第一対象物及び前記第二対象物は、前記光源空間内の相互に異なる位置に設けられており、
前記光源空間は、室外空間であり、
前記遮光対象空間は、室内空間であり、
前記遮光体本体は、前記室外空間と前記室内空間との相互間に設けられているバルコニーに配置されており、
前記基準点は、前記室内空間内における人の視線に対応する高さに設定されている、
遮光体。
【請求項２】
前記遮光体本体は、複数の透光孔を備え、
前記対象物側遮光部における前記透光孔による開口率を、前記光源側遮光部における前記透光孔による開口率より高くすることにより、前記対象物側遮光部の透光率を、前記光源側遮光部の透光率より高くした、
請求項１に記載の遮光体。
【請求項３】
前記第一対象物は、前記光源よりも下方に設けられており、
前記対象物側遮光部は、前記光源側遮光部よりも下方に設けられている、
請求項１又は２に記載の遮光体。
【請求項４】
前記遮光体本体の向きを回転させる回転手段を備える、
請求項１から３のいずれか一項に記載の遮光体。
【発明の詳細な説明】
【技術分野】
【０００１】
本発明は、遮光体に関する。
【背景技術】
【０００２】
従来、建築物の開口部（例えば、窓）付近には、室外空間から室内空間へと至る日光を遮蔽するための、ルーバーの如き遮光体（例えば、特許文献１参照）が設けられることがある。このような遮光体によれば、室内空間での眩しさを低減可能なだけでなく、日光を遮蔽することにより室内空間の日照負荷を低減して省エネ性を向上することが可能であった。
【先行技術文献】
【特許文献】
【０００３】
【特許文献１】特開２０００−１５４６８８号公報
【発明の概要】
【発明が解決しようとする課題】
【０００４】
しかし、上記のような遮光体を開口部に設置した場合、室内空間から室外空間への視界が遮光体により阻まれてしまい、視認性が低下してしまうという問題があった。そのため、室外空間に視認したい対象となる物（例えば、風景、建築物、工事現場など。以下、「対象物」）がある場合であっても、当該対象物が見え辛く不都合が生じる可能性があった。そこで、遮光性と視認性を両立することが可能な遮光体が要望されていた。
【０００５】
本発明は、上記に鑑みてなされたものであって、遮光性と視認性を両立することが可能な遮光体を提供することを目的とする。
【課題を解決するための手段】
【０００６】
上述した課題を解決し、目的を達成するために、請求項１に記載の遮光体は、光源空間の光源から、遮光対象空間へと至る光を遮蔽する遮光体であって、前記光源空間と前記遮光対象空間との相互間に配置された遮光体本体を備え、前記遮光体本体は、前記光源と前記遮光対象空間内の基準点とを結ぶ光源側仮想直線上に位置する光源側遮光部と、前記光源空間の１個の第一対象物と前記基準点とを結ぶ第一対象物側仮想直線上に位置する対象物側遮光部と、を有し、前記対象物側遮光部の透光率を、前記光源側遮光部の透光率より高くし、前記遮光体本体は、所定間隔で並設された複数の羽板を備え、平面視において、前記光源空間の１個の第二対象物と前記基準点とを結ぶ第二対象物側仮想直線と、前記複数の羽板とが相互に平行となっており、前記光源側仮想直線上及び前記第一対象物側仮想直線上に前記複数の羽根の内の一部の羽板が位置し、前記基準点は、前記遮光対象空間内の所定位置に設定されており、前記第一対象物及び前記第二対象物は、前記光源空間内の相互に異なる位置に設けられており、前記光源空間は、室外空間であり、前記遮光対象空間は、室内空間であり、前記遮光体本体は、前記室外空間と前記室内空間との相互間に設けられているバルコニーに配置されており、前記基準点は、前記室内空間内における人の視線に対応する高さに設定されている。
【０００７】
請求項２に記載の遮光体は、請求項１に記載の遮光体において、前記遮光体本体は、複数の透光孔を備え、前記対象物側遮光部における前記透光孔による開口率を、前記光源側遮光部における前記透光孔による開口率より高くすることにより、前記対象物側遮光部の透光率を、前記光源側遮光部の透光率より高くした。
【００１０】
請求項３に記載の遮光体は、請求項１又は２に記載の遮光体において、前記第一対象物は、前記光源よりも下方に設けられており、前記対象物側遮光部は、前記光源側遮光部よりも下方に設けられている。
【００１１】
請求項４に記載の遮光体は、請求項１から３のいずれか一項に記載の遮光体において、前記遮光体本体の向きを回転させる回転手段を備える。
【発明の効果】
【００１２】
請求項１に記載の遮光体によれば、対象物側遮光部の透光率を、光源側遮光部の透光率より高くしたので、光源側遮光部で光源に対する遮光性を確保できると共に、対象物側遮光部では第一対象物に対する視認性を確保でき、遮光性と視認性を両立することが可能となる。
また、遮光体本体は、所定間隔で並設された複数の羽板を備えるので、羽板同士の隙間から視界が開けるので、羽板の向きに沿った方向の視認性をさらに向上させることができる。
【００１３】
請求項２に記載の遮光体によれば、遮光部本体に透光孔を設け、対象物側遮光部における透光孔による開口率を、光源側遮光部における透光孔による開口率より高くすることにより、対象物側遮光部の透光率を、光源側遮光部の透光率より高くしたので、遮光部本体を穿孔するという極めて簡素な構成により、遮光性と視認性を両立することが可能となる。
【００１７】
請求項４に記載の遮光体によれば、遮光体本体の向きを回転させる回転手段を備えるので、時刻や季節などに起因して光源が移動する場合であっても、光源の位置に応じて遮光体本体の向きを回転させることにより、好適な視認性や透光性を確保可能に調整できる。
【図面の簡単な説明】
【００１８】
【図１】本発明の実施の形態に係るルーバーの平面図である。
【図２】図１のＡ−Ａ矢視断面図である。
【図３】図２のＣ部拡大図である。
【図４】図１のＢ部拡大図である。
【図５】図４のＤ部拡大図である。
【図６】本発明の実施例に係る解析を示す図であって、図６（ａ）は解析結果、図６（ｂ）は解析条件（iii）の開口率の分布を示す図である。
【発明を実施するための形態】
【００１９】
以下に添付図面を参照して、この発明に係る遮光体の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２０】
〔Ｉ〕実施の形態の基本的概念
まず、実施の形態の基本的概念について説明する。実施の形態は、光源空間の光源から、遮光対象空間へと至る光を遮蔽する遮光体に関する。ここで、「遮光体」とは、光を遮蔽可能な物であって、本実施の形態においては、複数の羽板を備える「ルーバー」であるものとして説明するが、これに限らず、光を遮蔽可能な様々な形状、素材、大きさの物を適用できる。なお、このルーバーとしては、それぞれの羽板が縦長形状の「縦ルーバー」と横長形状の「横ルーバー」のどちらでも適用可能であるが、本実施の形態においては「ルーバー」とは特記しない限り「縦ルーバー」を示すものとする。ここで、「光源」とは、ルーバーで遮蔽する対象となる光を照射するものであって、以下では光源は「太陽」とするが、これに限らず、例えば「照明」などであっても構わない。なお、太陽や照明のように直接光を放つものに限らず、太陽などから受けた光を反射するもの（例えば、ビルの窓ガラスなど）を光源としても構わない。
【００２１】
また、「光源空間」とは、光源の在る空間であって、本実施の形態では「室外空間」であるものとして説明する。なお、光源空間は室外又は室内のいずれでも構わず、例えば光源が照明である場合等では、光源空間は室内でも構わない。また、「遮光対象空間」とは、遮蔽体により光源からの光を遮蔽する対象となる空間であって、例えば本実施の形態の遮光対象空間は、建築物の一室である「室内空間」として説明する。また、本実施の形態では、室外空間と室内空間との相互間には、バルコニー及び開口部（窓）が設けられており、バルコニー内にルーバーが設置されているものとするが、このバルコニー及び開口部は無くても構わず、例えば室内空間と室外空間とが隣接しており、これらの両空間の境界線上にルーバーが設置されていても良い。
【００２２】
ここで、光源空間には、「対象物」が存在する。この「対象物」とは、遮光対象空間から視認対象となるものであって、人工物や自然物などのあらゆる視認対象となるものを含み、例えば、本実施の形態では対象物は人工物である「工場の建設現場」とするが、これに限らず、「風景」なども含む概念である。このように工場の建設現場を視認したい状況としては、例えば、室内空間が工場の建設現場の管理棟の一室であり、この室内空間から、室外空間に在る建設現場における工事の進行を常に監視したい状況などが挙げられる。なお、「対象物」は室外空間に複数存在してもよく、例えば以下では対象物が二つ（いずれも工場の建設現場）存在するものとし、これらを区別する必要がある場合には、それぞれ「第一対象物」、「第二対象物」と称し、区別する必要がない場合には、単に「対象物」と称して説明する。
【００２３】
〔ＩＩ〕実施の形態の具体的内容
次に、実施の形態の具体的内容について説明する。
【００２４】
（構成）
まず、本実施の形態に係るルーバー１の構成について説明する。図１は、本実施の形態に係るルーバー１の平面図、図２は、図１のＡ−Ａ矢視断面図である。これらの図１及び図２に示すように、ルーバー１は、複数の羽板２を備えて構成されている。ここで、以下では、必要に応じて、これら図１や図２におけるＸ−Ｘ’方向を「幅方向」と称し、特にＸ方向を「右方向」、Ｘ’方向を「左方向」と称する。また、Ｙ−Ｙ’方向を「奥行き方向」と称し、特にＹ方向を「前方向」、Ｙ’方向を「後方向」と称する。また、Ｚ−Ｚ’方向を「高さ方向」と称し、特にＺ方向を「上方向」、Ｚ’方向を「下方向」と称する。また、いずれかの位置を基準として、室内空間に近づく側を「内側」、室外空間に近づく側を「外側」と称する。
【００２５】
（構成−羽板）
羽板２は、室外空間と室内空間との相互間に配置された遮光体本体であって、所定間隔で並設された複数の板状体である。この複数の羽板２は、概略的に、管理棟のバルコニーにおける略後端部の位置に、幅方向（Ｘ−Ｘ’方向）に沿って所定間隔で並設されている。なお、「所定間隔」とは、管理棟の向きや各羽板２の大きさ、角度などに基づいて好適な間隔を決定して構わず、本実施の形態では３０ｃｍ間隔で配置されているが、これに限らない。ここで、図３は、図２のＣ部拡大図、図４は、図１のＢ部拡大図、図５は、図４のＤ部拡大図である。これらの図３、図４、及び図５に示すように、羽板２は、上部固定ブラケット３、下部固定ブラケット４、Ｓ字板５を備えている。なお、幅方向に沿って並設された各羽板２は、いずれも同様に構成されており、以下では図３から図５を参照して、単一の羽板２に着目して説明し、他の羽板２については当該羽板２と同様であるものとして説明を適宜省略する。
【００２６】
（構成−羽板−上部固定ブラケット）
上部固定ブラケット３は、羽板２の上部を、上部設置対象箇所に固定するための板状体である。「上部設置対象箇所」とは、羽板２の上部を設置する場所であり、本実施の形態では図２や図３に示すようにバルコニーの上方の鉄骨である。なお、固定の具体的な方法は任意で、例えば本実施の形態では鉄骨に対してボルト締結で固定するが、これに限らず、例えば溶接しても構わない。この上部固定ブラケット３の形状や板厚は、Ｓ字板５を構造的に支持可能な強度を有する限り任意であり、本実施の形態の上部固定ブラケット３は、図３に示すように、Ｘ−Ｙ平面に沿った水平部３ａと、Ｙ−Ｚ平面に沿った垂直部３ｂを有する略Ｌ字形状を呈している。そして、水平部３ａにはルーズボルト孔（図示省略）が設けられており、バルコニーの鉄骨のフランジから当該ルーズボルト孔に至るようにボルト３ｃが挿通されて締結されることで、水平部３ａとフランジとが相互に接続されている。また、垂直部３ｂにもルーズボルト孔（符号省略）が設けられており、Ｓ字板５に形成されたボルト孔（後述する）から当該ルーズボルト孔に至るようにボルト３ｄが挿通されて締結されることで、垂直部３ｂとＳ字板５とが相互に接続されている。このように、水平部３ａや垂直部３ｂにルーズボルト孔を適用することで、強風時や地震動発生時にはボルト３ｃ、３ｄがルーズボルト孔内部で可動して変位を吸収でき、羽板２に無理な応力が作用して変形してしまうことを抑止できる。ただし、これに限らず通常のボルト孔を適用しても構わない。
【００２７】
（構成−羽板−下部固定ブラケット）
下部固定ブラケット４は、羽板２の下部を、下部設置対象箇所に固定するための板状体である。「下部設置対象箇所」とは、羽板２の下部を設置する場所であり、本実施の形態では図２や図３に示すように室内空間のバルコニーの下方の鉄骨である。なお、下部固定ブラケット４の形状は、上部固定ブラケット３と上下対称であり、また、バルコニーに対する設置方法も上述した上部固定ブラケット３と略同様であるため、詳細な説明を省略する。なお、これら上部固定ブラケット３及び下部固定ブラケット４を区別する必要の無い場合には単に「ブラケット」と称して説明する。
【００２８】
（構成−羽板−Ｓ字板）
Ｓ字板５は、光を遮蔽する遮蔽板である。このＳ字板５は、図５に示すように、平面視において略Ｓ字状の二つの板（それぞれ、内Ｓ字板６及び外Ｓ字板７）を組み合わせて形成されており、これらの内Ｓ字板６及び外Ｓ字板７の相互間に位置する内部空間には、上述したブラケットが介在している。そして、内Ｓ字板６の上端部、及び外Ｓ字板７の上端部は、上部固定ブラケット３に対してボルト３ｄで締結されており、内Ｓ字板６の下端部、及び外Ｓ字板７の下端部は、下部固定ブラケット４に対してボルト（符号省略）で締結されている。なお、これらの内Ｓ字板６と外Ｓ字板７とを区別する必要の無い場合には単に「Ｓ字板」５と称して説明する。
【００２９】
ここで、内Ｓ字板６は、光を遮蔽する遮蔽板であって、ブラケットの内側に配置された板状体である。この内Ｓ字板６は、平面視において略Ｓ字形状に湾曲した形状を呈しており、平面視における一方の端部（本実施の形態では、左端部）は、ブラケットを覆うように折り返されており、このように折り返された部分にはボルト孔６ａが形成されている。一方、内Ｓ字板６の平面視における他方の端部（本実施の形態では、右端部）は、設置時においてブラケットと平行になるような形状を呈しており、この端部にもボルト孔６ｂが形成されている。なお、内Ｓ字板６における主側面（折り返された部分を除く面）には、複数の透光孔８が設けられている。「透光孔」８とは、内Ｓ字板６を内側から外側に貫通する孔であって、内径や形状については任意であるが、本実施の形態においては直径１０ｍｍの正円形の孔を呈している。また、以下では複数の透光孔８はいずれも同一の径、及び同一の形状とするが、これに限らず、各透光孔８の径や形状を相互に異なるものとしても構わない。
【００３０】
また、外Ｓ字板７は、光を遮蔽する遮蔽板であって、上部固定ブラケット３及び下部固定ブラケット４の外側に配置された板状体である。この外Ｓ字板７は、平面視において略Ｓ字形状に湾曲した形状を呈しており、内Ｓ字板６のボルト孔６ａと対応する位置にボルト孔７ａを備え、内Ｓ字板６のボルト孔６ｂと対応する位置にボルト孔７ｂを備える。そして、外Ｓ字板７の板面には、内Ｓ字板６と同様に複数の透光孔８を備えている。なお、本実施の形態では、この外Ｓ字板７の透光孔８の配置、形状、開口率などは、対向する内Ｓ字板６の透光孔８と同一であるが、これに限らず、これら配置、形状、開口率などのいずれかが、対向する内Ｓ字板６と異なっていても良い。
【００３１】
ここで、内Ｓ字板６及び外Ｓ字板７のブラケットに対する取付方法について簡略的に説明する。まず、図５に示すように、これらの内Ｓ字板６と外Ｓ字板７とで上記の上部固定ブラケット３及び下部固定ブラケット４を挟み込んだ状態となるように、内Ｓ字板６及び外Ｓ字板７を配置する。この状態では内Ｓ字板６に設けられたボルト孔６ａと、外Ｓ字板７に設けられたボルト孔７ａとが重畳し、内Ｓ字板６に設けられたボルト孔６ｂと、外Ｓ字板７に設けられたボルト孔７ｂとが重畳する。そして、ボルト孔６ａからボルト孔７ａを介して上部固定ブラケット３を貫通するようにボルト３ｄを挿通して締結すると共に、ボルト孔７ｂからボルト孔６ａを介して上部固定ブラケット３を貫通するようにボルト３ｄを挿通して締結する。これにより、内Ｓ字板６及び外Ｓ字板７が上部固定ブラケットに固定される。なお、同様の手順で、内Ｓ字板６及び外Ｓ字板７を下部固定ブラケット４に対しても取り付けることができる。
【００３２】
（構成−羽板−透光率）
続いて、羽板２のＳ字板５の透光率について説明する。「透光率」とは、羽板２を挟む二つの空間のうち一方の空間から入射された光量に対する、羽板２を介して他方の空間へと至る光量の割合である。すなわち、Ｓ字板５の透光率が高い程、多くの光がＳ字板５を透過する。ここで、この透光率は、Ｓ字板５の開口率に比例する。「開口率」とは、Ｓ字板５の主側面の面積あたりにおける透光孔８の面積が占める割合であって、本実施の形態では「１０％」「１５％」のように百分率で表示する。例えば、Ｓ字板５に設けられた透光孔８の数を多くしたり、透光孔８のサイズを大きくしたりすることで開口率を大きくすることができるが、本実施の形態では、透光孔８のサイズは均一とし、透光孔８の数を不均一とすることで、Ｓ字板５の各箇所の開口率を変えている。例えば、図２では、Ｓ字板５を高さ方向に仮想的に８分割してセクションＳ１〜Ｓ８とし、各セクションの開口率をその隣に「１０％」「１５％」のように表記しており、図示のように各セクションの開口率は不均一となっている。なお、８分割は例示に過ぎず、８分割以上又はそれ以下の数で分割しても構わない。
【００３３】
（開口率の決定手順）
続いて、このような各セクションの開口率の決定手順を図１及び図２を参照して説明する。まず、室内空間内の基準点３０を決定する。「基準点」３０とは、Ｓ字板５の開口率を決定するために定める仮想的な点であり、光源Ｓｕ（太陽）に対する遮光性を確保しつつ、第一対象物１０の視認性を確保することを望む地点である。この基準点３０は、室内空間内の任意の地点に設定して構わないが、本実施の形態においては、室内空間における人の視線付近の高さ（例えば、床から１６０ｃｍ程度の高さ）に設定している。すなわち、本実施の形態では、人の目の位置を基準として、太陽光が眩しくないように、かつ、第一対象物１０が見え易いように、Ｓ字板５の開口率を決定する。ここで、説明の便宜上、本実施の形態の基準点３０は、範囲を持たない「点」であるものとするが、点の集合であり範囲を持つ「領域」であっても構わない。例えば、１５０ｃｍから１８０ｃｍの高さの領域を基準点３０としても構わない。以下では、基準点３０は「点」であるものとして説明し、必要に応じて基準点３０が「領域」である場合も例に挙げながら説明する。
【００３４】
続いて、Ｓ字板５の、光源側遮光部と、対象物側遮光部とを決定する。ここで、「光源側遮光部」は、太陽と室内空間内の基準点３０とを結ぶ光源側仮想直線Ｌｓ上に位置する部分である。図１や図２では、光源側仮想直線Ｌｓを点線で図示しており、本実施の形態では図２に示すようにセクションＳ２が光源側遮光部となる。なお、説明の便宜上、本実施の形態の「光源Ｓｕ（太陽）」は、範囲を持たない「点」であるものとするが、点の集合であり範囲を持つ「領域」であっても構わない。例えば、光源Ｓｕが「太陽」のように基準点３０に対して相対的に移動するものである場合、この移動の軌跡の各点と基準点３０とを結ぶ仮想直線が光源側仮想直線Ｌｓとなる。また、例えば、光源Ｓｕが「広範囲に設置された照明」である場合、この照明の全体を含む領域を構成する各点と、基準点３０とを結ぶ仮想直線が光源側仮想直線Ｌｓとなる。
【００３５】
また、「対象物側遮光部」は、対象物と室内空間内の基準点３０とを結ぶ第一対象物側仮想直線Ｌ１上に位置する部分である。図１や図２では、第一対象物側仮想直線Ｌ１を一点鎖線で図示しており、本実施の形態では図２に示すようにセクションＳ７が第一対象物側遮光部となる。なお、説明の便宜上、本実施の形態の第一対象物１０は、範囲を持たない「点」であるものとするが、点の集合であり範囲を持つ「領域」であっても構わない。例えば、第一対象物１０が「広範囲に広がっている工場の建設現場」である場合には、この建設現場の全体を含む領域を構成する各点と、基準点３０とを結ぶ仮想直線が光源側仮想直線Ｌｓとなる。
【００３６】
なお、第一対象物１０及び光源Ｓｕの位置関係は、第一対象物１０が、光源側仮想直線Ｌｓ上に位置しない限り（すなわち、「光源側遮光部」≠「対象物側遮光部」である限り）、本実施の形態のルーバー１を適用可能である。例えば、本実施の形態の第一対象物１０は、光源Ｓｕとは異なる高さに位置し、かつ、光源側仮想直線Ｌｓ上に位置していない。
【００３７】
続いて、上記のように特定した光源側遮光部と対象物側遮光部の透光率を決定する。具体的には、対象物側遮光部の透光率を、光源側遮光部の透光率よりも高くする。例えば本実施の形態では、光源側遮光部（セクションＳ２）の開口率を１５％、対象物側遮光部（セクションＳ７）の開口率を４０％とすることにより、透光率に差を設けている。なお、開口率の具体的な値は、羽板２の素材や厚み等を考慮して、羽板２の強度を十分に維持できるように設定することが好ましい。なお、この他のセクションの開口率の決定方法は任意であるが、本実施の形態では、セクションＳ２の近傍のセクション（セクションＳ１やセクションＳ３）は、セクションＳ２と同様に太陽光を遮蔽すべく、開口率が低く（セクションＳ２と同程度）なっている。同様に、セクションＳ７の近傍のセクション（セクションＳ６やセクションＳ８）は、セクションＳ７と同様に第一対象物１０の視認性を確保すべく、開口率が高く（セクションＳ７と同程度）なっている。このようにして、羽板２は全体として透光孔８がグラデーションとなるように開口率が調整されている。
【００３８】
このように開口率を設定することで、光源側遮光部では、太陽から基準点３０へと直線的に至る光の多くを遮光できるので、室内空間での眩しさの低減、及び室内空間の空調負荷の低減が可能であると共に、対象物側遮光部では、第一対象物１０から基準点３０へと直線的に至る光を多く通過させることでき、室内空間から第一対象物１０の視認性を向上させることが可能となる。
【００３９】
（羽板の向きの決定手順）
続いて、羽板２の向きの決定手順について説明する。「羽板２の向き」とは、光源側仮想直線Ｌｓに対する羽板２の角度（図１に示す角度α）である。なお、本実施の形態の羽板２はＳ字状に湾曲しているため、この羽板２を平面（Ｓ字板５の中央を通る仮想平面ＰＬ。図１参照）とみなして角度αを規定する。
【００４０】
まず、室外空間に第一対象物１０のみが存在する場合（すなわち、視認したい対象が第一対象物１０のみしかなく、第二対象物２０が存在しない場合）、羽板２の角度αは、光源側仮想直線Ｌｓに対して直交する角度（角度α＝９０°）が好ましい。このように角度α＝９０°とすることで、光源Ｓｕから基準点３０を視た際の羽板２の投影面積が最大となり、光源Ｓｕから基準点３０を視た際の隣合う羽板２同士の隙間の投影面積が最小となるため、室内空間へと透過してしまう光の量を最小化することができ、遮光性を向上できる。なお、このように角度α＝９０°とすると、平面視において羽板２は第一対象物側仮想直線Ｌ１にも直交するが、上述したように対象物側遮光部の開口率が大きいため、第一対象物１０の視認性は確保できる。
【００４１】
また、室外空間に第一対象物１０及び第二対象物２０が存在する場合（視認したい対象が２つ存在する場合）、羽板２の角度αは、室外空間の第二対象物２０と基準点３０とを結ぶ第二対象物側仮想直線Ｌ２（図１において二点鎖線で示す）上に羽板２が位置せず、かつ、光源側仮想直線Ｌｓ上及び第一対象物側仮想直線Ｌ１上に羽板２が位置するような角度が好ましい。例えば、本実施の形態では、羽板２の角度αと、光源側仮想直線Ｌｓに対する第二対象物側仮想直線Ｌ２の角度（図１における角度β）とを略同一にすることで、羽板２と第二対象物側仮想直線Ｌ２とが略平行となるように設計している。このように角度α＝角度βとすることにより、基準点３０から第二対象物２０を見た際の羽板２の厚みが最小となるので、第二対象物２０の視認性を最大とすることができる。なお、この際も上述したように対象物側遮光部の開口率が大きいため、第一対象物１０の視認性は確保できる。また、羽板２同士の隙間を介して太陽光が多く室内空間に透過してしまう場合には、羽板２同士の間隔を狭めたり、羽板２を厚いものにしたりすることで、解消することができる。
【００４２】
（実施例）
続いて、ルーバー１の実施例について説明する。図６は、本実施例に係る解析を示す図であって、図６（ａ）は解析結果、図６（ｂ）は解析条件（iii）（後述する）の開口率の分布を示す図である。なお、結果はあくまでも一例であり、羽板２の間隔や角度、開口率、建物の形状等の設定によって結果は異なるものになる。また、図６（ａ）の横軸は時刻［ｈ］、縦軸は日射量［ｗ／ｍ２］を示している。この図６（ａ）に示すように、本実施例では、（i）ルーバーを非設置、（ii）開口率が３０％均一のルーバーを設置、（iii）開口率が不均一のルーバーを設置、及び（iv）開口の無い（開口率０％）ルーバーを設置、の４パターンの解析条件にて解析を行った。解析手法としては、上記の４パターンにおいて１時間置きに室内空間の日射量（年間を通じての最大値）を算出してプロットし、１日における室内空間の日射量の変化を調べた。なお、（iii）のパターンの開口率の分布を、図６（ｂ）に示しており、このようにルーバーを仮想的に上下に８分割し、各セクションの開口率を異ならせている。なお、解析の具体的な手法は任意の手法を用いることができるため詳細な説明を省略する。
【００４３】
図６（ｂ）に示すように、（iii）開口率が不均一のルーバーを設置した場合では、（i）ルーバー非設置の場合と比べてピーク（１７時）における日射量を約５５％程度削減できていることが分かる。また、（iii）開口率が不均一のルーバーを設置した場合と、（ii）開口率が均一の３０％のルーバーを設置した場合とでは、全体としては、略同一の遮蔽性能を確保できることが分かる。ただし、部分的な遮光性に着目すると（ii）と（iii）では異なる。具体的には、（iii）のようにルーバーの上部付近の開口率を小さくした方が、室外の上方からの光に対する遮光性を確保できており、室の奥深くまで侵入する光をより遮蔽できる。
【００４４】
（実施の形態の効果）
このように、本実施の形態のルーバー１によれば、対象物側遮光部の透光率を、光源側遮光部の透光率より高くしたので、光源側遮光部で光源Ｓｕに対する遮光性を確保できると共に、対象物側遮光部では第一対象物１０に対する視認性を確保でき、遮光性と視認性を両立することが可能となる。
【００４５】
また、羽板２に透光孔８を設け、対象物側遮光部における透光孔８による開口率を、光源側遮光部における透光孔８による開口率より高くすることにより、対象物側遮光部の透光率を、光源側遮光部の透光率より高くしたので、羽板２を穿孔するという極めて簡素な構成により、遮光性と視認性を両立することが可能となる。
【００４６】
また、遮光体本体は、所定間隔で並設された複数の羽板２を備えるので、羽板２同士の隙間から視界が開けるので、羽板２の向きに沿った方向の視認性をさらに向上させることができる。
【００４７】
また、第一対象物側仮想直線Ｌ１上には羽板２が位置し、この羽板２における対象物側遮光部の透光率を、光源側遮光部の透光率より高くしたので、光源側遮光部で光源Ｓｕに対する遮光性を確保できると共に、対象物側遮光部では第一対象物１０に対する視認性を確保でき、さらに、第二対象物側仮想直線Ｌ２上には羽板２が位置しないので、第二対象物２０に対する視認性を確保できる。
【００４８】
また、第一対象物１０は、光源Ｓｕとは異なる高さに位置するので、例えば光源Ｓｕが太陽で第一対象物１０が地上にある建物である場合に、太陽光に対する遮光性を確保しつつ、建物に対する視認性を確保することができる。
【００４９】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００５１】
（寸法や材料について）
発明の詳細な説明や図面で説明したルーバー１の各部の寸法、形状、材料、比率等は、あくまで例示であり、その他の任意の寸法、形状、材料、比率等とすることができる。例えば、本実施の形態では羽板２としてＳ字状に湾曲したものを用いたが、湾曲していないものを用いても構わない。
【００５２】
（遮光体について）
本実施の形態では遮光体はルーバー１であるものとしたが、光を遮蔽できる限りこれに限らない。例えば、ルーバー１のように複数の羽板２に分かれた構成ではなく、一枚の板状体として遮光体を構成しても良い。
【００５３】
また、本実施の形態では、ルーバー１の羽板２を透光率の高い素材（金属等）で形成し、この羽板２に透光率の低い部分（透光孔８）を形成したが、逆に、羽板２を透光率の低い素材（ガラス等）で形成し、この羽板２に透光率の高い部分を設ける（例えば、遮光シールを貼り付ける等）ことにより、透光率に差異を設けても構わない。
【００５４】
（羽板の向きについて）
本実施の形態では、羽板２はバルコニーに固定されていて動かないものとして説明したが、これに限らず、羽板２の向きを回転させる回転手段（図示省略）を設けても良い。例えば、季節の変化に伴う太陽の軌跡の移り変わりを考慮して、季節ごとに異なる向きに羽板２を回転させても良い。または、一日の時刻の変化に伴う太陽の移動を考慮して、時刻ごとに異なる向きに羽板２を回転させても良い。または、天気の変化に伴う日射量の変化を考慮し、日射量に応じて羽板２を回転させても良い。このような構成によれば、羽板２の向きを回転させる回転手段を備えるので、時刻や季節などに起因して光源Ｓｕが移動する場合であっても、光源Ｓｕの位置に応じて羽板２の向きを回転させることにより、好適な視認性や透光性を確保可能に調整できる。
【００５５】
（光源について）
本実施の形態では、光源Ｓｕが、第一対象物１０や第二対象物２０よりも上方に位置しているものとして説明したが、これに限らず、第一対象物１０や第二対象物２０よりも下方に位置していても構わない。例えば、光源Ｓｕが地上にある照明であっても構わない。
【００５６】
また、本実施の形態では、光源Ｓｕは太陽であり、室内空間へ降り注ぐ太陽光を遮蔽するために光源側遮光部の開口率を下げたが、他の目的で開口率を下げても良い。例えば、光源Ｓｕは基準点３０から視認したくないもの（例えば、美感的に優れていないもの）である場合でも、光源側遮光部の開口率を下げることにより当該光源Ｓｕを視認し辛くすることが可能である。
【００５７】
（開口率について）
本実施の形態では、透光孔８がグラデーションとなるように開口率を設定としたが、対象物側遮光部の透光率が、光源側遮光部の透光率よりも高い限り、透光孔８をグラデーションにしなくても構わない。例えば、対象物側遮光部や光源側遮光部を除く部分の開口率は１００％であっても良いし、０％であっても良い。あるいは、羽板２全体の開口率を対象物側遮光部の開口率（例えば、４０％）に合わせて、光源側遮光部の開口率のみを低い開口率（例えば、１５％）としても良い。または、羽板２全体の開口率を光源側遮光部の開口率（例えば、１５％）に合わせて、対象物側遮光部の開口率のみを高い開口率（例えば、４０％）としても良い。
【００５８】
（付記）
付記１の遮光体は、光源空間の光源から、遮光対象空間へと至る光を遮蔽する遮光体であって、前記光源空間と前記遮光対象空間との相互間に配置された遮光体本体を備え、前記遮光体本体は、前記光源と前記遮光対象空間内の基準点とを結ぶ光源側仮想直線上に位置する光源側遮光部と、前記光源空間の第一対象物と前記基準点とを結ぶ第一対象物側仮想直線上に位置する対象物側遮光部と、を有し、前記対象物側遮光部の透光率を、前記光源側遮光部の透光率より高くした。
【００５９】
付記２の遮光体は、付記１に記載の遮光体において、前記遮光体本体は、複数の透光孔を備え、前記対象物側遮光部における前記透光孔による開口率を、前記光源側遮光部における前記透光孔による開口率より高くすることにより、前記対象物側遮光部の透光率を、前記光源側遮光部の透光率より高くした。
【００６０】
付記３の遮光体は、付記１又は２に記載の遮光体において、前記遮光体本体は、所定間隔で並設された複数の羽板を備える。
【００６１】
付記４の遮光体は、付記３に記載の遮光体において、前記光源空間の第二対象物と前記基準点とを結ぶ第二対象物側仮想直線上に前記羽板が位置せず、かつ、前記光源側仮想直線上及び前記第一対象物側仮想直線上に前記羽板が位置する。
【００６２】
付記５の遮光体は、付記１から４のいずれか一項に記載の遮光体において、前記第一対象物は、前記光源とは異なる高さに位置し、かつ、前記光源側仮想直線上に位置しない。
【００６３】
付記６の遮光体は、付記１から５のいずれか一項に記載の遮光体において、前記遮光体本体の向きを回転させる回転手段を備える。
【００６４】
（付記の効果）
付記１に記載の遮光体によれば、対象物側遮光部の透光率を、光源側遮光部の透光率より高くしたので、光源側遮光部で光源に対する遮光性を確保できると共に、対象物側遮光部では第一対象物に対する視認性を確保でき、遮光性と視認性を両立することが可能となる。
【００６５】
付記２に記載の遮光体によれば、遮光部本体に透光孔を設け、対象物側遮光部における透光孔による開口率を、光源側遮光部における透光孔による開口率より高くすることにより、対象物側遮光部の透光率を、光源側遮光部の透光率より高くしたので、遮光部本体を穿孔するという極めて簡素な構成により、遮光性と視認性を両立することが可能となる。
【００６６】
付記３に記載の遮光体によれば、遮光体本体は、所定間隔で並設された複数の羽板を備えるので、羽板同士の隙間から視界が開けるので、羽板の向きに沿った方向の視認性をさらに向上させることができる。
【００６７】
付記４に記載の遮光体によれば、第一対象物側仮想直線上には羽板が位置し、この羽板における対象物側遮光部の透光率を、光源側遮光部の透光率より高くしたので、光源側遮光部で光源に対する遮光性を確保できると共に、対象物側遮光部では第一対象物に対する視認性を確保でき、さらに、第二対象物側仮想直線上には羽板が位置しないので、第二対象物に対する視認性を確保できる。
【００６８】
付記５に記載の遮光体によれば、第一対象物は、光源とは異なる高さに位置するので、例えば光源が太陽で第一対象物が地上にある建物である場合に、太陽光に対する遮光性を確保しつつ、建物に対する視認性を確保することができる。
【００６９】
付記６に記載の遮光体によれば、遮光体本体の向きを回転させる回転手段を備えるので、時刻や季節などに起因して光源が移動する場合であっても、光源の位置に応じて遮光体本体の向きを回転させることにより、好適な視認性や透光性を確保可能に調整できる。
【符号の説明】
【００７０】
１  ルーバー
２  羽板
３  上部固定ブラケット
３ａ  水平部
３ｂ  垂直部
３ｃ  ボルト
３ｄ  ボルト
４  下部固定ブラケット
５  Ｓ字板
６  内Ｓ字板
６ａ  ボルト孔
６ｂ  ボルト孔
７  外Ｓ字板
７ａ  ボルト孔
７ｂ  ボルト孔
８  透光孔
１０  第一対象物
２０  第二対象物
３０  基準点
Ｌｓ  光源側仮想直線
Ｌ１  第一対象物側仮想直線
Ｌ２  第二対象物側仮想直線
ＰＬ  仮想平面
Ｓｕ  光源
Ｓ１〜Ｓ８  セクション
【図１】
0006753672.tif 000002
【図２】
0006753672.tif 000003
【図３】
0006753672.tif 000004
【図４】
0006753672.tif 000005
【図５】
0006753672.tif 000006
【図６】
0006753672.tif 000007